(57)【要約】【課題】球排出通路から排出された遊技球の落下速度を確実に緩和させることにより、当該遊技球を設置枠台に設置された球受け容器内に確実に回収することができる遊技機における遊技球の落下飛散防止装置を提供する。【解決手段】パチンコ遊技機１０の機裏側下部に配設された球排出通路１５のうち鉛直方向に延びる通路終端部２４には、通路終端部２４を介して落下排出される遊技球Ｓの落下速度を緩和する通路構成部材１６と、通路終端部２４の下端側部位に加工成形された段差部２６とが設けられている。そのため、遊技球Ｓは、通路終端部２４内を落下する際、段差部２６に接触し、その落下方向を通路構成部材１６が設けられた方向に変更される。そして、この遊技球Ｓが通路構成部材１６に接触することにより、当該遊技球Ｓの落下速度が緩和される。その後、この遊技球Ｓは設置枠台Ｅに設置された球受け容器１７内に落下排出される。【選択図】      図２
2005168663.tif 000002
【特許請求の範囲】
【請求項１】
遊技機の機裏側下部に配設された球排出通路のうち鉛直方向に延びるように設けられた通路終端部に、当該通路終端部を介して落下排出される遊技球と接触した際には当該遊技球の落下速度を緩和する落下速度緩和部と、前記通路終端部内を落下する前記遊技球に接触して当該遊技球の落下方向を前記落下速度緩和部が設けられた方向に向けて変更する落下方向変更部とを備えた遊技機における遊技球の落下飛散防止装置。
【請求項２】
前記落下速度緩和部は、前記球排出通路の通路終端部に取着された所定形状をなす通路構成部材であり、当該通路構成部材は、その上端側部位において前記通路終端部に支持された取着態様とされている請求項１に記載の遊技機における遊技球の落下飛散防止装置。
【請求項３】
前記通路構成部材は、前記球排出通路の通路終端部に対して前記遊技機の機裏側方向から機表側方向に向けての着脱可能な取着態様とされている請求項２に記載の遊技機における遊技球の落下飛散防止装置。
【請求項４】
前記落下速度緩和部には前記落下方向変更部により落下方向を変更された遊技球が接触することになる球接触面が形成されており、当該球接触面は、前記遊技機の機表側から機裏側に向けて下がり勾配となる斜状に形成されている請求項１〜請求項３のうち何れか一項に記載の遊技機における遊技球の落下飛散防止装置。
【請求項５】
前記通路構成部材は、当該通路構成部材の取着時において前記遊技機の機表側となる方向に突出する係止部を有しており、当該係止部は、前記通路構成部材を前記球排出通路の通路終端部に取着した状態において、当該通路終端部の通路壁に当接係合するように形成されている請求項１〜請求項４のうち何れか一項に記載の遊技機における遊技球の落下飛散防止装置。
【請求項６】
前記通路構成部材は、可撓性材料で形成されている請求項２〜請求項５のうち何れか一項に記載の遊技機における遊技球の落下飛散防止装置。
【請求項７】
前記落下速度緩和部は、当該落下速度緩和部の下端側部位が下方へ向いた櫛歯状に形成されている請求項１〜請求項６のうち何れか一項に記載の遊技機における遊技球の落下飛散防止装置。
【発明の詳細な説明】
【技術分野】
【０００１】
本発明は、遊技機の機裏側から落下排出される遊技球の飛散を防止する遊技機における遊技球の落下飛散防止装置に関するものである。
【背景技術】
【０００２】
従来、遊技機の一種であるパチンコ遊技機（以下、「遊技機」と示す）の機裏側下部には、遊技場に据え付けられた設置枠台（通称「島」）に配設された球受け容器に向けて遊技球を排出するための球排出通路が形成されている。そして、この球排出通路を介して、機表側の遊技盤上に設けられた各口（各種の入賞口やアウト口等）に入った遊技球を機裏側から前記球受け容器内に落下させて回収するようにしていた。ところが、勢いよく球排出通路を落下する遊技球は、前記球受け容器内へ落下排出された際に、落下衝撃力等に起因して球受け容器内から跳ね返り、当該球受け容器外へ飛散する虞があった。そこで、前記遊技球の球受け容器外への飛散を防止するために、例えば特許文献１に記載されるような遊技機における遊技球の落下飛散防止装置（飛散防止機構）が提案されている。
【０００３】
さて、特許文献１に記載される遊技機における遊技球の落下飛散防止装置（以下、「落下飛散防止装置」と示す）は、前記球排出通路（集合排出路）の下端部（終端部）に可撓性を有する筒形状の通路構成部材（案内規制部材）が取着されており、当該通路構成部材の下端側には、可撓性を更に向上させるために櫛歯状をなす複数の緩衝規制片が形成されている。このため、遊技球は、球排出通路を落下する際に、当該遊技球の勢い及び遊技機の設置傾き角度に起因して前記通路構成部材（各緩衝規制片）に接触すると、落下衝撃力（落下速度）が緩和された状態で前記球受け容器内に落下排出される。従って、球受け容器内への落下に伴う遊技球の跳ね返り度合いが軽減されるため、当該球受け容器外への遊技球の飛散（飛び出し）が良好に抑制されるようになっている。
【０００４】
一方で、球排出通路を落下する遊技球が通路構成部材（各緩衝規制片）に接触しない場合（即ち、遊技球が球排出通路を垂直に落下排出された場合）、遊技球の落下衝撃力（落下速度）は緩和されない。しかし、そのような場合には、遊技球は、球受け容器内に落下して真上に跳ね返った際に通路構成部材（各緩衝規制片）に接触し、再度、下方（球受け容器内）に落下することになる（即ち、最終的には、球受け容器内に回収されることになる）と、特許文献１には記載されている。
【特許文献１】実開平５−４１５８３号公報（請求項２、段落番号［０００９］、図４）
【発明の開示】
【発明が解決しようとする課題】
【０００５】
ところが、特許文献１の落下飛散防止装置の場合にも依然として次のような問題がある。即ち、遊技球が通路構成部材に接触することなく前記球受け容器内に落下排出された場合、落下速度が緩和されていない遊技球は、球受け容器内に落下した後、必ずしも真上に跳ね返り、当該通路構成部材（各緩衝規制片）に接触するとは限らない。つまり、前記球受け容器内から跳ね返った遊技球のうち、通路構成部材に接触しなかった遊技球は、球受け容器外へ飛散する（こぼれ出る）虞がある。このため、この落下飛散防止装置では、確実に遊技球の球受け容器外への飛散を防止できるとは言い難かった。
【０００６】
本発明は、このような事情に鑑みてなされたものであり、その目的は、球排出通路から排出された遊技球の落下速度を確実に緩和させることにより、当該遊技球を設置枠台に設置された球受け容器内に確実に回収することができる遊技機における遊技球の落下飛散防止装置を提供することにある。
【課題を解決するための手段】
【０００７】
上記目的を達成させるために、請求項１に記載の発明は、遊技機の機裏側下部に配設された球排出通路のうち鉛直方向に延びるように設けられた通路終端部に、当該通路終端部を介して落下排出される遊技球と接触した際には当該遊技球の落下速度を緩和する落下速度緩和部と、前記通路終端部内を落下する前記遊技球に接触して当該遊技球の落下方向を前記落下速度緩和部が設けられた方向に向けて変更する落下方向変更部とを備えたことを要旨とする。
【０００８】
請求項２に記載の発明は、請求項１に記載の遊技機における遊技球の落下飛散防止装置において、前記落下速度緩和部は、前記球排出通路の通路終端部に取着された所定形状をなす通路構成部材であり、当該通路構成部材は、その上端側部位において前記通路終端部に支持された取着態様とされていることを要旨とする。
【０００９】
請求項３に記載の発明は、請求項２に記載の遊技機における遊技球の落下飛散防止装置において、前記通路構成部材は、前記球排出通路の通路終端部に対して前記遊技機の機裏側方向から機表側方向に向けての着脱可能な取着態様とされていることを要旨とする。
【００１０】
請求項４に記載の発明は、請求項１〜請求項３のうち何れか一項に記載の遊技機における遊技球の落下飛散防止装置において、前記落下速度緩和部には前記落下方向変更部により落下方向を変更された遊技球が接触することになる球接触面が形成されており、当該球接触面は、前記遊技機の機表側から機裏側に向けて下がり勾配となる斜状に形成されていることを要旨とする。
【００１１】
請求項５に記載の発明は、請求項１〜請求項４のうち何れか一項に記載の遊技機における遊技球の落下飛散防止装置において、前記通路構成部材は、当該通路構成部材の取着時において前記遊技機の機表側となる方向に突出する係止部を有しており、当該係止部は、前記通路構成部材を前記球排出通路の通路終端部に取着した状態において、当該通路終端部の通路壁に当接係合するように形成されていることを要旨とする。
【００１２】
請求項６に記載の発明は、請求項２〜請求項５のうち何れか一項に記載の遊技機における遊技球の落下飛散防止装置において、前記通路構成部材は、可撓性材料で形成されていることを要旨とする。
【００１３】
請求項７に記載の発明は、請求項１〜請求項６のうち何れか一項に記載の遊技機における遊技球の落下飛散防止装置において、前記落下速度緩和部は、当該落下速度緩和部の下端側部位が下方へ向いた櫛歯状に形成されていることを要旨とする。
【発明の効果】
【００１４】
球排出通路から排出された遊技球の落下速度を確実に緩和させることにより、当該遊技球を設置枠台に設置された球受け容器内に確実に回収することができる。
【発明を実施するための最良の形態】
【００１５】
以下、本発明を遊技機の一種であるパチンコ遊技機（以下、「パチンコ機」と示す）における遊技球の落下飛散防止装置に具体化した一実施形態を図１〜図４に従って説明する。
【００１６】
図１及び図２に示すように、本実施形態におけるパチンコ機１０（図１及び図２には機台下部のみ図示）には、機体の外郭をなす外枠１１に遊技盤（図示略）等の遊技用構成部材をセットする中枠１２が開閉及び着脱自在に組み付けられている。前記中枠１２の裏側下部には、裏板とも通称される通路形成板１３が組み付けられており、当該通路形成板１３を挟み込むようにして機構セット盤１４が機裏側から前記中枠１２に対して着脱自在にセットされている。前記機構セット盤１４の裏側には、遊技球Ｓを賞球（又は貸球）として払出すための球払出装置４０、及び図柄表示装置等の各種遊技装置（図示略）を制御するための制御基板（図示略）等が着脱可能に取り付けられている。
【００１７】
一方、前記中枠１２の表側（前面側）には、機内部に配置された前記遊技盤を透視保護するためのガラス枠を備えた前枠５０と上球皿６０が共に横開き状態で開閉可能に組み付けられている。そして、前記中枠１２の表側下部には、下球皿７０及び発射装置８０が装着されている。また、前記遊技盤の遊技領域（表側）には、複数の入賞口（図示略）が設けられており、当該入賞口に遊技球Ｓが入賞すると前記球払出装置４０から遊技球Ｓが賞球として払い出されるようになっている。また、前記遊技盤の遊技領域の最下部には、当該遊技領域へ打ち出されたものの前記各入賞口に入賞しなかった遊技球Ｓを回収するためのアウト口（図示略）が設けられている。
【００１８】
前記通路形成板１３には、球排出通路１５が形成されており、当該球排出通路１５の終端には、可撓性材料（例えば合成樹脂等）からなる通路構成部材１６が機裏側方向から機表側方向に向けての着脱可能な取着態様で取着されている。そして、この通路構成部材１６の下方位置には有底箱状をなす球受け容器１７が遊技場において「島」とも通称される設置枠台Ｅ上に配設されている。
【００１９】
図３（ａ）（ｂ）に示すように、前記通路形成板１３は、平板状をなす本体部１３ａを有しており、当該本体部１３ａの所定箇所には、複数（本実施形態では３つ）の通出口１８〜２０が形成されている。具体的には、本体部１３ａの図３（ａ）において右側上方には、前記球払出装置４０から払い出された賞球（遊技球Ｓ）を機表側の上球皿６０に通出するための賞球通出口１８が形成されている。また、本体部１３ａの図３（ａ）において中央下方には、前記上球皿６０が満杯となり賞球通出口１８から機裏側へ溢れ落ちた遊技球Ｓを機表側の下球皿７０に通出するための溢球通出口１９が形成されている。そして更に、前記本体部１３ａの中央付近には、機表側の前記アウト口に連絡されたアウト球通出口２０が形成されている。
【００２０】
また、前記本体部１３ａの裏面側には、複数の帯状リブ１３ｂが突出形成されており、それらの各リブ１３ｂによって前記球排出通路１５の構成要素となる集合通路２１、アウト球通路２２、セーフ球通路２３及び通路終端部２４が構成されている。一方、前記機構セット盤１４の表側下部にも複数の帯状リブからなる連絡通路１４ａが、前記各通路２１〜２４と協働して球排出通路１５を構成すべく形成されている。そして、前記集合通路２１、アウト球通路２２、セーフ球通路２３及び連絡通路１４ａは、前記通路形成板１３（本体部１３ａ）がその裏側から機構セット盤１４で被覆されることにより、それぞれ遊技球Ｓを通出案内する通路として機能するようになっている。また、通路終端部２４は、前記通路構成部材１６が機裏側から取着されることで、遊技球Ｓを通出案内する通路として機能するようになっている。
【００２１】
前記集合通路２１は、前記本体部１３ａの図３（ａ）における上方において、右斜め下方に向けて斜状をなすリブ１３ｂと左斜め下方に向けて斜状をなすリブ１３ｂとから形成されており、機表側の前記各入賞口から機裏側へ通出された遊技球（セーフ球）Ｓを下流となる下方に集合案内するようになっている。また、前記アウト球通路２２は、鉛直方向に延びるように形成されており、前記アウト球通出口２０から通出された遊技球（アウト球）Ｓを鉛直下方へ落下案内するようになっている。
【００２２】
また、前記セーフ球通路２３は、前記集合通路２１の下方に形成されており、前記連絡通路１４ａを介して集合通路２１と繋がるようになっている。また、前記セーフ球通路２３は、当該セーフ球通路２３の下端部においてアウト球通路２２と合流するようになっている。そして、前記通路終端部２４は、前記アウト球通路２２とセーフ球通路２３の合流部から鉛直方向に延びるように形成されている。このため、前記アウト球通路２２又はセーフ球通路２３を両通路２２，２３の合流部まで案内されてきた遊技球Ｓは、通路終端部２４を介して前記球受け容器１７に落下排出される。
【００２３】
前記通路終端部２４の下端側部位は、遊技機の機表側方向から機裏側方向に突出するように加工成形された段差部２６とされており、当該段差部２６の上側平面２７は、鉛直方向に対して所定角度θの下がり勾配となる斜状に形成されている（図２、図３（ｂ）参照）。このため、通路終端部２４を落下してきた遊技球Ｓは、段差部２６（上側平面２７）と接触することにより、その落下方向を通路構成部材１６が配設されている機裏側方向に向けて変更される。つまり、この段差部２６が、通路終端部２４内を落下する遊技球Ｓに接触して当該遊技球Ｓの落下方向を通路構成部材１６が設けられた方向に向けて変更する落下方向変更部として機能するようになっている。また、前記上側平面２７が、通路終端部２４内を落下する遊技球Ｓに接触して当該遊技球Ｓの落下方向を変更ガイドするためのガイド平面として機能するようになっている。なお、上側平面２７は、前記所定角度θが６０度以上且つ７０度以下の範囲内となるように形成されている。
【００２４】
また、前記通路終端部２４における通路壁２４ａの下端側部位には、図１及び図３（ａ）に示すように、左右の各通路壁２４ａの外面から水平方向に突出する凸部２８が夫々設けられている。これらの両凸部２８は、図３（ａ）からも理解されるように、一方（図３（ａ）では左側）の凸部２８の方が他方（図３（ａ）では右側）の凸部２８よりも上方に位置するように、鉛直方向において所定距離分だけ高さが異なる配置構成とされている。そして、これらの両凸部２８は、前記通路終端部２４に通路構成部材１６を取着する際に、当該通路構成部材１６を所定の取着位置態様にするための位置決め手段として機能するようになっている。また、通路終端部２４における通路壁２４ａの上端側部位には、左右一対のボス部２４ｂが形成されており、各ボス部２４ｂにはねじ孔となる支持孔２５が夫々形成されている。
【００２５】
一方、前記通路構成部材１６は、図２及び図４（ａ）（ｂ）から理解されるように、通路終端部２４に取着された際に機表側となる方向及び下側となる方向が開放された側面視略台形状のキャップ形態をしている。そして、この通路構成部材１６には、球排出通路１５の通路終端部２４内を落下する遊技球Ｓが前記段差部２６により落下方向を機裏側方向へ変更された場合に接触することになる平面状の球接触面２９が形成されている。因みに、前記通路構成部材１６は、前記球接触面２９が前記球受け容器１７における中央付近の上方位置に配置される態様にて前記通路終端部２４に取着される。また、図４に示すように、この球接触面２９は、パチンコ機１０の機表側から機裏側に向けて下がり勾配となる斜状に形成されている。このため、本実施形態では、前記通路終端部２４を落下する遊技球Ｓは、段差部２６（上側平面２７）と接触することにより、その落下方向を機裏側方向（球接触面２９が位置する方向）へ変更される。そして、落下方向を変更された遊技球Ｓは、球受け容器１７の中央付近上方に位置する球接触面２９に接触することで、その落下方向が略鉛直下方（即ち、球受け容器１７内の中央付近方向）に向けて変更されることになる。
【００２６】
また、通路構成部材１６の上端側部位において、前記通路終端部２４に取着された際に前記各支持孔２５と各々対応する位置には、通孔３０が夫々形成されている。そして、各通孔３０と支持孔２５とを一致させた状態において、これら各通孔３０と支持孔２５とに挿通される例えばねじ等によって、前記通路構成部材１６は通路終端部２４に取着支持されるようになっている。従って、通路構成部材１６は、その上端側部位のみが通路終端部２４に支持される一方、その下端側部位は通路終端部２４に何ら支持されない自由端部とされる（即ち、下端側部位は揺動自在とされている）。このため、通路終端部２４内で段差部２６により落下方向を変更されて通路構成部材１６（球接触面２９）に接触した遊技球Ｓは、通路構成部材１６が下端側部位を前後方向に揺動変位してクッション性を発揮することにより、その落下速度が緩和される。
【００２７】
従って、本実施形態では、前記通路構成部材１６が、通路終端部２４を介して落下排出される遊技球Ｓと接触した際において当該遊技球Ｓの落下速度を緩和する落下速度緩和部として機能するようになっている。そして、このような通路構成部材（落下速度緩和部）１６と、前記段差部（落下方向変更部）２６とにより、パチンコ機１０における遊技球Ｓの落下飛散防止装置（以下、「落下飛散防止装置」と示す）Ｐが構成されている。
【００２８】
また、前記通路構成部材１６の上端側部位には、当該通路構成部材１６の取着時においてパチンコ機１０の機表側となる方向に突出する平面視矩形状の突条部３１が水平方向へ設けられている。この突条部３１の図４（ｂ）における紙面と直交する方向の長さは、前記通路終端部２４の図３（ａ）における左右両通路壁２４ａの内面間の長さと同程度とされている。従って、この突条部３１は、通路構成部材１６を通路終端部２４に取着する際の水平方向における位置合せ基準となる。
【００２９】
また、前記通路構成部材１６の下端側部位には、当該通路構成部材１６の取着時においてパチンコ機１０の機表側となる方向に突出する複数（本実施形態では２つ）の係止部３２が設けられている。そして、これら各係止部３２は、通路構成部材１６を前記通路終端部２４に取着した状態において、当該通路終端部２４の通路壁２４ａの外面側に当接係合するようになっている。具体的には、通路終端部２４への取着時において、図１において左側となる係止部３２の上側面が、図１において左側の通路壁２４ａから突出した凸部２８の下側面と係合するようになっている。また、図１において右側となる係止部３２の下側面が、図１において右側の通路壁２４ａから突出した凸部２８の上側面と係合するようになっている。このため、通路構成部材１６は、例えば遊技球Ｓが球接触面２９に勢いよく接触した（当たった）場合等において、当該通路構成部材１６の取着方向と交差する方向（図１において上下方向及び左右方向）に位置ズレしないようになっている。つまり、本実施形態では、遊技球Ｓが球接触面２９に接触した（当たった）際に、通路構成部材１６は、機表側方向から機裏側方向へ、又は機裏側方向から機表側方向への揺動のみが許容される。
【００３０】
次に、以上のように構成された本実施形態の落下飛散防止装置Ｐの作用について以下説明する。
さて、遊技中に機表側の前記アウト口に入った遊技球Ｓはアウト球通出口２０からアウト球通路２２を経由して球排出通路１５の通路終端部２４に通出される。また、同じく前記各入賞口に入った遊技球Ｓは集合通路２１、連絡通路１４ａ及びセーフ球通路２３を経由して球排出通路１５の通路終端部２４に通出される。そして、この通路終端部２４に通出された遊技球Ｓは、当該通路終端部２４を鉛直方向に落下し、前記段差部２６の上側平面２７に接触する。すると、この上側平面２７は、前記所定角度θの下がり勾配となる斜状とされているため、前記遊技球Ｓは、その落下方向を通路構成部材１６（球接触面２９）方向に変更される。
【００３１】
また、前記遊技球Ｓは、通路終端部２４を勢いよく落下するため、前記段差部２６の上側平面２７により落下方向を変更された後において、通路構成部材１６（球接触面２９）に対しても勢いよく接触する。しかし、前述したように、通路構成部材１６は可撓性材料からなり、しかも当該通路構成部材１６の下端側部位は通路終端部２４に何ら支持（固定）されていないため、前記遊技球Ｓは、通路構成部材１６がクッション性を発揮することにより、その落下速度（落下衝撃力）を緩和される。また、遊技球Ｓが接触する球接触面２９は、パチンコ機１０の機表側から機裏側に向けて下がり勾配となる斜状に形成され、且つ当該球接触面２９が前記球受け容器１７における中央付近の上方位置に形成されるように通路構成部材１６が配置されるため、遊技球Ｓは、球受け容器１７内の中央付近に向けて落下する。また、この際に、遊技球Ｓの落下速度は確実に緩和されるため、球受け容器１７内へ落下排出された遊技球Ｓは、当該球受け容器１７内から大きく跳ね返って球受け容器１７外へ飛散するようなことはない。
【００３２】
一方で、遊技球Ｓが通路構成部材１６に勢いよく接触した際には、通路構成部材１６の位置ズレが懸念される。しかし、前述したように、通路構成部材１６には各係止部３２が設けられる一方、通路終端部２４の通路壁２４ａには各凸部２８が夫々設けられている。このため、通路構成部材１６は、遊技球Ｓからの衝突力により、図１において左右方向又は上下方向へ位置ズレするようなことはない。
【００３３】
従って、本実施形態では、以下に示す効果を得ることができる。
（１）球排出通路１５の終端で鉛直方向に延びる通路終端部２４には、当該通路終端部２４を介して落下排出される遊技球Ｓに接触して当該遊技球Ｓの落下速度を緩和する通路構成部材（落下速度緩和部）１６と、当該通路構成部材１６に向けて落下方向を変更する段差部（落下方向変更部）２６とが設けられている。そのため、通路終端部２４内を落下する遊技球Ｓは、段差部２６（上側平面２７）に接触して落下方向を変更されることにより、通路構成部材１６に確実に接触し、その結果、当該遊技球Ｓの落下速度が確実に緩和される。従って、通路終端部２４から落下排出される遊技球Ｓは、その後、設置枠台Ｅに配設された球受け容器１７へ落下した場合でも、落下速度が緩和されているために勢いよく跳ね返ることがなくなり、当該球受け容器１７外への飛散を好適に防止できる。
【００３４】
（２）また、通路構成部材１６は、その上端側部位が通路終端部２４に支持される一方で、その下側部位が通路終端部２４に対して何ら支持（固定）されていない揺動自在な取着態様とされている。従って、通路構成部材１６に対して落下方向を変更された遊技球Ｓが勢いよく接触（衝突）した際には、当該通路構成部材１６の下端側部位が揺動変位してクッション性を発揮することにより、遊技球Ｓの落下速度を更に効果的に緩和させることができる。
【００３５】
（３）通路構成部材１６は、パチンコ機１０の機裏側方向から機表側方向に向けての着脱可能な取着態様であるため、機裏側方向から容易に着脱できる。従って、例えば球排出通路１５の通路終端部２４で遊技球Ｓの球詰まりが生じた場合等において、パチンコ機１０のメンテナンス作業効率を良好に向上させることができる。また、例えば、各遊技場における球受け容器１７の大きさ形状又は設置位置等の相違がある場合には、その相違に合わせて、様々な大きさ形状をなす通路構成部材１６を用意しておき、それらを適宜に交換することにより柔軟に対応することができる。
【００３６】
（４）また、段差部２６により落下方向を変更された遊技球Ｓが接触する通路構成部材１６の球接触面２９は、パチンコ機１０の機表側から機裏側に向けて下がり勾配となる斜状に形成されている。そして、通路構成部材１６は、通路終端部２４への取着時において、球接触面２９が設置枠台Ｅに配設された球受け容器１７における上方位置に形成されるように配置される。そのため、通路構成部材１６に接触し落下する遊技球Ｓについては、その球接触面２９の下がり勾配に従った球受け容器１７の中央付近の方向に向けて落下させることができる。また、球排出通路１５の通路終端部２４の開口幅（出口幅）が拡幅されることにもなるため、この通路終端部２４内での遊技球Ｓの球詰まりを良好に回避することができる。
【００３７】
（５）通路構成部材１６には、当該通路構成部材１６の取着時においてパチンコ機１０の機表側となる方向に突出する２つの係止部３２が設けられている。このため、通路構成部材１６を通路終端部２４に取着した際には、前記各係止部３２が通路終端部２４の通路壁２４ａと当接係合する。従って、これら各係止部３２と通路壁２４ａとの当接係合により、通路構成部材１６に例えば遊技球Ｓが勢いよく接触した（当たった）場合等において、通路構成部材１６がその取着方向と交差する方向（図１において左右方向）へ位置ズレすることを防止できる。また、通路構成部材１６は、前記通路終端部２４に取着される際に各係止部３２が取付けガイドとして機能するため、迅速容易に取着することができる。
【００３８】
（６）また、通路構成部材１６は、可撓性材料から形成されているため、遊技球Ｓが接触した際に、より効果的にクッション性を発揮する。従って、より効果的に遊技球Ｓの落下速度を緩和させることができる。
【００３９】
（７）通路終端部２４には、当該通路終端部２４の通路壁２４ａに通路構成部材１６を所定の取着位置態様にて取着するための２つの凸部（位置決め手段）２８が設けられている。このため、通路構成部材１６を前記通路終端部２４に対して所望どおりに確実に取着することができる。また、通路終端部２４への取着時には、図１において左側の通路壁２４ａから突出する凸部２８の下側面が図１において左側となる係止部３２の上側面と係合する一方、図１において右側の通路壁２４ａから突出する凸部２８の上側面が図１において右側となる係止部３２の下側面と係合するようになっている。このため、通路構成部材１６は、例えば遊技球Ｓが勢いよく接触した（当たった）場合等において、当該通路構成部材１６の取着方向と交差する方向（図１において上下方向）への位置ズレを防止することができる。
【００４０】
（８）段差部２６は、通路終端部２４内を落下する遊技球Ｓに接触して当該遊技球Ｓの落下方向を変更ガイドする上側平面（ガイド平面）２７を有しており、当該上側平面２７は、機表側方向から通路構成部材１６が設けられた機裏側方向に向けて所定角度θの下がり勾配となる斜状に形成されている。このため、この上側平面２７に接触した（当たった）遊技球Ｓの落下方向を確実に変更させることで、当該遊技球Ｓを通路構成部材１６の方向に導くことができる。
【００４１】
なお、本実施形態は以下のような別の実施形態（別例）に変更してもよい。
・前記実施形態では、通路終端部２４における段差部２６の上側平面２７は、鉛直方向に対して下り勾配を形成するための所定角度θを６０度以上且つ７０度以下となるようにしたが、前記所定角度θは０度よりも大きく且つ９０度よりも小さい角度範囲内ならば任意に設定可能である。
【００４２】
・前記実施形態では、通路終端部２４への取着時において、通路構成部材１６は、図１において左側の通路壁２４ａから突出する凸部２８の下側面が図１において左側となる係止部３２の上側面と係合する一方、図１において右側の通路壁２４ａから突出する凸部２８の上側面が図１において右側となる係止部３２の下側面と係合するようになっている。しかし、これら各凸部２８の上側面が、前記各係止部３２の下側面と夫々係合するようにしてもよい。逆に、各凸部２８の下側面が、各係止部３２の上側面と夫々係合するようにしてもよい。また、２つの凸部２８が設けられているが、任意数（例えば、１つ又は４つ等）の凸部２８を設けるようにしてもよい。
【００４３】
・前記実施形態では、側面視略台形状のキャップ形態をなし斜状の球接触面２９が形成された通路構成部材１６を通路終端部２４に取着した。しかし、図５に示すように、板片状の形態をなし鉛直方向に延びるように形成された球接触面の下端側部位が下方へ向いた櫛歯状に形成された通路構成部材１６Ａを通路終端部２４に対して取着するようにしてもよい。このように構成すると、通路構成部材１６Ａの下端側部位が櫛歯状に形成されているため、当該通路構成部材１６Ａ（特に下端側部位）の可撓性がより向上することになる。従って、前記櫛歯状の下端側部位に接触した遊技球Ｓの落下速度を更に効果的に緩和させることができる。また、前記実施形態における通路構成部材１６の球接触面２９形成部位の下端側部位を櫛歯状に形成してもよい。
【００４４】
・前記実施形態では、通路構成部材１６は、可撓性材料（例えば合成樹脂等）から形成されているが、必ずしも可撓性材料から形成しなくてもよい。例えば、通路構成部材１６を金属材料等の非可撓性材料から形成し、遊技球Ｓが接触する面（球接触面２９）に、当該遊技球Ｓの落下速度を緩和させるために弾性部材（例えばゴム等）や衝撃吸収部材（例えばスポンジ等）を装着するようにしてもよい。また、通路構成部材１６を前記弾性部材や衝撃吸収部材から形成してもよい。
【００４５】
・前記実施形態では、各係止部３２は、通路構成部材１６の下端側部位に夫々設けられているが、通路構成部材１６の任意の箇所（例えば上端側部位等）に設けてもよい。また、２つの係止部３２が設けられているが、任意数（例えば１つ又は４つ等）の係止部３２を設けてもよい。
【００４６】
・前記実施形態では、遊技球Ｓが接触する通路構成部材１６の球接触面２９は、パチンコ機１０の機表側から機裏側に向けて下がり勾配となる斜状となるように形成されているが、鉛直方向に延びるように形成されてもよい。また、平面状の球接触面２９が形成されているが、任意の形状（例えば曲面状等）の球接触面を形成してもよい。
【００４７】
・前記実施形態では、通路構成部材１６は、通路終端部２４に対してパチンコ機１０の機裏側方向から機表側方向に向けての着脱可能な取着態様とされているが、図１において上下方向に着脱可能な取着態様としてもよい。
【００４８】
・前記実施形態では、通路構成部材１６は、その上端側部位が通路終端部２４に支持される一方で、その下端側部位が通路終端部２４に対して何ら支持されていない取着支持態様としたが、通路構成部材１６の下端側部位も上端側部位と同様に通路終端部２４に支持されるようにしてもよい。
【００４９】
・前記実施形態では、通路構成部材１６は、球排出通路１５に対して着脱可能な取着態様とされている（即ち、球排出通路１５と別々に形成し取着されている）が、球排出通路１５と一体に形成してもよい。
【００５０】
・前記実施形態では、通路終端部２４の下端側部位を機裏側方向へ突出するように加工成形することによって段差部（落下方向変更部）２６が形成されているが、当該下端側部位に任意の形状（例えば三角柱体等）をなすブロックを付設することにより落下方向変更部を形成してもよい。
【００５１】
・前記実施形態では、段差部（落下方向変更部）２６は、通路終端部２４の下端側部位を機裏側方向へ突出するように形成されているが、例えば図３（ａ）において左側方向又は右側方向へ突出するように形成されてもよい。この場合において、通路構成部材（落下速度緩和部）１６は、前記段差部２６が突出する方向（遊技球Ｓが跳ね返る方向）に配置され且つ球受け容器１７の上方に位置するように設けられていればよい。
【００５２】
次に、上記実施形態及び別例から把握できる技術的思想について以下に追記する。
（イ）前記球排出通路の通路終端部には、前記通路構成部材を所定の取着位置態様にして取着させるための位置決め手段が設けられている請求項１〜請求項７のうち何れか一項に記載の遊技機における遊技球の落下飛散防止装置。
【００５３】
（ロ）前記落下方向変更部は、前記通路終端部内を落下する遊技球に接触して当該遊技球の落下方向を変更ガイドするガイド平面を有しており、当該ガイド平面は、前記通路終端部内において機表側方向から機裏側方向に向けて所定角度の下がり勾配となる斜状に形成されており、前記所定角度は６０度以上且つ７０度以下とされている請求項１〜請求項７、前記技術的思想（イ）のうち何れか一項に記載の遊技機における遊技球の落下飛散防止装置。
【図面の簡単な説明】
【００５４】
【図１】パチンコ遊技機の機裏側の一部（下側）を示す正面図。
【図２】図１のＡ−Ａ線矢視一部断面図。
【図３】（ａ）は通路形成板を示す正面図、（ｂ）は図３（ａ）のＢ−Ｂ線矢視断面図。
【図４】（ａ）は通路構成部材を示す斜視図、（ｂ）は通路構成部材の側断面図。
【図５】通路構成部材の別例を示す正面図。
【符号の説明】
【００５５】
１０…パチンコ遊技機（遊技機）、１５…球排出通路、１６，１６Ａ…通路構成部材（落下速度緩和部）、２４…通路終端部、２４ａ…通路壁、２６…段差部（落下方向変更部）、２７…上側平面（ガイド平面）、２８…凸部（位置決め手段）、２９…球接触面、３２…係止部、Ｓ…遊技球、Ｐ…落下飛散防止装置（遊技機における遊技球の落下飛散防止装置）、θ…所定角度。
【図１】
2005168663.tif 000003
【図２】
2005168663.tif 000004
【図３】
2005168663.tif 000005
【図４】
2005168663.tif 000006
【図５】
2005168663.tif 000007